(57)【要約】【課題】自動販売機の外扉の幅方向の長さや、外扉に設けられた各構成部品の位置が異なる他の自動販売機にも取り付けることのできる自動販売機用化粧板を提供する。【解決手段】自動販売機用化粧板１０によれば、中央側部材３０の所定の幅方向の長さＬ１を、自動販売機２０の外扉２２の幅方向の長さに応じて形成することができるので、外扉２２の幅方向の長さが異なる他の自動販売機にも取り付けることができ、汎用性の向上を図ることができる。また、自動販売機用化粧板１０は、自動販売機２０の外扉２２の周縁に取り付けられることにより、外扉２２に設けられた各構成部品の位置が異なる他の自動販売機２０の外扉２２にも取り付けることができる。【選択図】図１
2008021086.tif 000002
【特許請求の範囲】
【請求項１】
自動販売機の外扉に取り付けられる自動販売機用化粧板において、
所定の幅方向の長さに形成され、外扉の上部幅方向中央に配置される中央部側部材と、
中央部側部材の幅方向両端に接続され、外扉の幅方向両端側に配置される端部側部材とから分割して構成した
ことを特徴とする自動販売機用化粧板。
【請求項２】
前記端部側部材に中央部側部材に着脱自在に嵌合可能な嵌合部を設け、
中央部側部材には嵌合部と嵌合可能な嵌合溝を設けた
ことを特徴とする請求項１記載の自動販売機用化粧板。
【請求項３】
前記中央部側部材の前面に、任意の広告表示板の下端を係止可能な係止部を設けた
ことを特徴とする請求項１又は２記載の自動販売機用化粧板。
【請求項４】
前記中央部側部材に広告表示板の前面側を覆う透明の保護カバーを設けた
ことを特徴とする請求項３記載の自動販売機用化粧板。
【発明の詳細な説明】
【技術分野】
【０００１】
本発明は、缶または瓶入り飲料等の自動販売機の外扉に取り付けられる自動販売機用化粧板に関するものである。
【背景技術】
【０００２】
従来、この種の自動販売機用化粧板としては、自動販売機の外扉に取り付けることにより、自動販売機の展示効果を向上させるものが知られている（例えば、特許文献１参照）。この自動販売機用化粧板は、取り付ける自動販売機の外扉の幅方向の長さ及び上下方向の長さと同じ寸法の板状部材からなる。また、自動販売機用化粧板には、自動販売機の外扉の前面に設けられた商品選択ボタン、商品展示部、紙幣投入口、硬貨投入口、硬貨返却口及び商品取出口等の各構成部品に対応するように、複数の開口部が予め形成されている。さらに、自動販売機の展示効果を向上させるために、自動販売機用化粧板の前面には、自動販売機が取扱う商品の内容やイメージ等を表した文字や絵や写真が印刷されている。
【０００３】
このように構成された自動販売機用化粧板は、自動販売機用化粧板に形成された各開口部の位置と、自動販売機の外扉に設けられた各構成部品の位置とを一致させて、自動販売機の外扉に取り付けられるようになっている。
【特許文献１】特開平１１−６６４０６号公報
【発明の開示】
【発明が解決しようとする課題】
【０００４】
しかしながら、前記自動販売機用化粧板は、自動販売機の外扉の幅方向の長さや、外扉に設けられた各構成部品の位置を考慮して形成されているので、外扉の幅方向の長さや各構成部品の設けられた位置が異なる他の自動販売機には取り付けることができないという問題点があった。
【０００５】
本発明は、上記事情に鑑みてなされたものであり、その目的とするところは、自動販売機の外扉の幅方向の長さや、外扉に設けられた各構成部品の位置が異なる他の自動販売機にも取り付けることのできる自動販売機用化粧板を提供することにある。
【課題を解決するための手段】
【０００６】
上記目的を達成するために、本発明の自動販売機用化粧板は、自動販売機の外扉に取り付けられる自動販売機用化粧板において、所定の幅方向の長さに形成され、外扉の上部幅方向中央に配置される中央部側部材と、中央部側部材の幅方向両端に接続されるとともに、外扉の幅方向両端側に配置される端部側部材とから分割して構成されている。
【０００７】
この自動販売機用化粧板によれば、中央部側部材と端部側部材とから分割して構成されているので、中央側部材の所定の幅方向の長さを、自動販売機の外扉の幅方向の長さに応じて形成し、形成された中央部側部材の幅方向両端に端部側部材を接続することにより自動販売機用化粧板が形成される。そして、形成された自動販売機用化粧板が自動販売機の外扉の周縁に取り付けられる。
【発明の効果】
【０００８】
本発明の自動販売機用化粧板によれば、中央側部材の所定の幅方向の長さを、自動販売機の外扉の幅方向の長さに応じて形成することができるので、外扉の幅方向の長さが異なる他の自動販売機にも取り付けることができ、汎用性の向上を図ることができる。また、自動販売機の外扉の周縁に取り付けられることにより、外扉に設けられた各構成部品の位置が異なる他の自動販売機の外扉にも取り付けることができる。
【発明を実施するための最良の形態】
【０００９】
図１乃至図６は本発明の一実施形態に係る自動販売機用化粧板を示すもので、図１は自動販売機用化粧板及び自動販売機の全体正面図、図２は自動販売機用化粧板及び自動販売機の分解斜視図、図３は自動販売機用化粧板の正面図、図４は自動販売機用化粧板の側面断面図、図５は自動販売機用化粧板及び自動販売機本体の部分分解断面図、図６は自動販売機用化粧板及び自動販売機本体の部分組立断面図を示す。
【００１０】
自動販売機用化粧板１０は、外扉２２の上部幅方向中央に配置される中央側部材３０と、中央側部材３０の幅方向一端側に接続されるとともに、外扉２２の幅方向一端側に配置される第１端部側部材４０と、中央側部材３０の幅方向他端側に接続されるとともに、外扉２２の幅方向他端側に配置される第２端部側部材４１とから構成されている。この自動販売機用化粧板１０は、自動販売機２０の外扉２２の前面周縁を覆うように取り付けられる。
【００１１】
自動販売機２０は缶飲料等の商品を収納するものであり、前面を開口した自動販売機本体２１と、自動販売機本体２１の前面を開閉する外扉２２とを備えている。
【００１２】
外扉２２は、幅方向一端側が自動販売機本体２１の幅方向一端側に回動自在に連結されている。また、外扉２２の前面には、商品サンプル２３、商品選択ボタン２４、紙幣投入口２５、硬貨投入口２６、硬貨返却口２７及び商品取出口２８の各構成部品が設けられている。また、外扉２２の前面には、自動販売機２０が取扱う商品の内容やイメージ等を表示する広告表示部２９が設けられている。さらに、外扉２２の前面には、別部材としての取付金具５０が取り付けられている。
【００１３】
中央側部材３０は、例えば雲を模した立体的な形状になるように合成樹脂を射出成形することにより形成されるとともに、外扉２２の幅方向の長さに基づき、所定の幅方向の長さＬ１に形成されている。また、中央側部材３０の幅方向一端側には第１嵌合溝３０ａが形成され、幅方向他端側には第２嵌合溝３０ｂが形成されている。さらに、中央側部材３０の前面下方の幅方向に亘って、保護カバー６０及び広告表示板６１の下端を係止可能な断面コ字状の係止部３１が形成されている。
【００１４】
第１端部側部材４０及び第２端部側部材４１は、例えば雲を模した立体的な形状になるように合成樹脂を射出成形することにより形成されている。第１端部側部材４０の上部幅方向端部には、嵌合部としての延出部４０ａが形成されている。この延出部４０ａは、中央側部材３０の幅方向一端に形成された第１嵌合溝３０ａに着脱自在に勘合するようになっている。同様に、第２端部側部材４１の上部幅方向端部には、嵌合部としての延出部４１ａが形成されている。この延出部４１ａは、中央側部材３０の幅方向他端に形成された第２嵌合溝３０ｂに着脱自在に勘合するようになっている。また、各端部側部材４０，４１のそれぞれには、取付金具５０が嵌め込まれる第３嵌合溝４２と、ネジ４３が挿通されるネジ挿通孔４４とが形成されている。
【００１５】
取付金具５０は凸型形状の金属から形成され、外扉２２の前面側上部と幅方向周縁に複数設けられている。この取付金具５０は、自動販売機用化粧板１０を取り付ける際に用いられるものであり、取付金具５０の略中央位置にはネジ孔５０ａが設けられている。
【００１６】
保護カバー６０は、合成樹脂からなる透明板によって形成されている。また、この保護カバー６０は、広告表示板６１と同じ寸法に形成されている。
【００１７】
広告表示板６１は合成樹脂や金属等から形成された板状部材からなり、自動販売機２０が取扱う商品の内容やイメージ等を表した文字や絵や写真が印刷されている。
【００１８】
以上のように構成された自動販売機用化粧板１０を、自動販売機２０の外扉２２に取り付ける際の動作について、図１乃至図６を参照して説明する。
【００１９】
まず、中央側部材３０に形成された係止部３１の内側に保護カバー６０の下端を貼着することにより、保護カバー６０が中央側部材３０に固定される。そして、中央側部材３０と保護カバー６０との間隙に広告表示板６１を挿入することにより（図４に示す実線矢印の方向）、広告表示板６１の下端側が係止部３１に係止される。これにより、広告表示板６１は、中央側部材３０に保持されるとともに、保護カバー６０によって前面が覆われて保護される。
【００２０】
次に、第１端部側部材４０の延出部４０ａを中央側部材３０の第１嵌合溝３０ａに勘合させて取り付けることにより、第１端部側部材４０が中央側部材３０に接続される。同様に、第２端部側部材４１の延出部４１ａを中央側部材３０の第２嵌合溝３０ｂに勘合させて取り付けることにより、第２端部側部材４１が中央側部材３０に接続される。このように中央側部材３０の幅方向両端側に各端部側部材４０，４１を接続することにより、自動販売機用化粧板１０が形成される。
【００２１】
続いて、例えば粘着テープ等によって自動販売機２０の外扉２２に取り付けられた取付金具５０が、自動販売機用化粧板１０の第３嵌合溝４２に嵌め込まれる。自動販売機用化粧板１０の第３嵌合溝４２に取付金具５０を嵌め込むことによって、自動販売機用化粧板１０の幅方向及び上下方向への移動が規制される。
【００２２】
その後、ネジ４３をネジ挿通孔４４に挿入するとともに、取付金具５０のネジ孔５０ａに螺合することにより、自動販売機用化粧板１０と自動販売機２０の外扉とが着脱自在に締結される。
【００２３】
自動販売機２０の外扉２２に自動販売機用化粧板１０を取り付けた後、広告表示板６１を他の広告表示板６１に替える際には、中央側部材３０と保護カバー６０との間から広告表示板６１を取り出し、再び他の広告表示板６１を中央側部材３０と保護カバー６０との間に挿入する。
【００２４】
このように、本実施形態の自動販売機用化粧板１０によれば、中央側部材３０の所定の幅方向の長さＬ１を、自動販売機２０の外扉２２の幅方向の長さに応じて形成することができるので、外扉２２の幅方向の長さが異なる他の自動販売機にも取り付けることができ、汎用性の向上を図ることができる。
【００２５】
また、本実施形態の自動販売機用化粧板１０は、自動販売機２０の外扉２２の周縁に取り付けられることにより、外扉２２に設けられた各構成部品の位置が異なる他の自動販売機２０の外扉２２にも取り付けることができる。
【００２６】
さらに、本実施形態の自動販売機用化粧板１０は、各端部側部材４０，４１に延出部４０ａ，４１ａを設け、中央部側部材３０に延出部４０ａ，４１ａと嵌合可能な嵌合溝３０ａ，３０ｂを設けることにより、各端部側部材４０，４１を中央部側部材３０の所定の位置に確実に取り付けることができる。これにより、中央部側部材３０に対して端部側部材４０，４１の位置がずれたり、中央部側部材３０から端部側部材４０，４１が脱落することを防止できる。
【００２７】
また、本実施形態の自動販売機用化粧板１０は、中央側部材３０に保護カバー６０及び広告表示板６１の下端を係止可能な係止部３１を形成することにより、保護カバー６０及び広告表示板６１を確実に保持することができる。これにより、保護カバー６０及び広告表示板６１の位置ずれや脱落を防止することができる。
【００２８】
さらに、本実施形態の自動販売機用化粧板１０は、中央側部材３０及び各端部側部材４０，４１を例えば雲を模した立体的な形状に形成したので、自動販売機２０の外扉２２の装飾性を高めることができるとともに、利用者の購買意欲を向上させることができる。
【００２９】
また、本実施形態の自動販売機用化粧板１０は、中央側部材３０の前面下方の幅方向に亘って保持された広告表示板６１によって、自動販売機２０が取扱う商品の内容やイメージ等を表示することができ、広告機能を高めることができるとともに、利用者の購買意欲を一層向上させることができる。
【００３０】
さらに、本実施形態の自動販売機用化粧板１０は、広告表示板６１の前面を保護カバー６０によって覆うことにより、広告表示板６１が汚れたり、傷付いたりすること等を防止できる。
【００３１】
また、本実施形態の自動販売機用化粧板１０は、自動販売機２０に取り付けられた後に自動販売機２０が取扱う商品を替えた場合において、広告表示板６１を他の広告表示板に替えるだけで、短時間且つ容易に、自動販売機用化粧板１０で表示する商品の内容やイメージ等の変更をすることができる。
【００３２】
さらに、本実施形態の自動販売機用化粧板１０は、ネジ４３によって自動販売機用化粧板１０と自動販売機２０の外扉とが締結されることにより、自動販売機２０の外扉２２の所定位置から自動販売機用化粧板１０がずれたり、自動販売機用化粧板１０が落下すること等を防止することができる。
【００３３】
尚、前記実施形態の自動販売機用化粧板１０は、自動販売機２０の外扉２２の前面周縁を覆うように取り付けられたが、これに限られない。例えば、図７に示すように、外扉２２の前面周縁を覆う自動販売機用化粧板１０の他に、他の自動販売機用化粧板６５を外扉２２に取り付けても良い。この他の自動販売機用化粧板６５は、保護カバー６６を備えている。これにより、自動販売機２０の外扉２２に予め設けられた広告表示部２９の周縁を他の自動販売機用化粧板６５によって覆うことによって、広告表示部２９の広告機能を一層高めることができるとともに、利用者の購買意欲を一層向上させることができる。
【００３４】
また、前記実施形態の自動販売機用化粧板１０は、ネジ４３によって自動販売機用化粧板１０を自動販売機２０の外扉２２に取り付けたが、自動販売機用化粧板１０を着脱自在に自動販売機２０の外扉２２に取り付けることができるのであれば、これに限られない。
【図面の簡単な説明】
【００３５】
【図１】本発明の一実施形態に係る自動販売機用化粧板及び自動販売機の全体正面図
【図２】本発明の一実施形態に係る自動販売機用化粧板及び自動販売機の全体斜視図
【図３】本発明の一実施形態に係る自動販売機用化粧板の正面図
【図４】本発明の一実施形態に係る自動販売機用化粧板の側面断面図
【図５】本発明の一実施形態に係る自動販売機用化粧板及び自動販売機本体の部分分解断面図
【図６】本発明の一実施形態に係る自動販売機用化粧板及び自動販売機本体の部分組立断面図
【図７】図２に示す自動販売機用化粧板及び自動販売機本体の変形例を示す分解斜視図
【符号の説明】
【００３６】
１０…自動販売機用化粧板、２０…自動販売機、２２…外扉、３０…中央側部材、４０…第１端部側部材、４１…第２端部側部材、６０…保護カバー、６１…広告表示板。
【図１】
2008021086.tif 000003
【図２】
2008021086.tif 000004
【図３】
2008021086.tif 000005
【図４】
2008021086.tif 000006
【図５】
2008021086.tif 000007
【図６】
2008021086.tif 000008
【図７】
2008021086.tif 000009